(57)【特許請求の範囲】
【請求項１】
排水口が形成され一対の長手縁および一対の短手縁を有する底面と、前記底面の一方の短手縁側から上方に立ち上がるように形成された背もたれ面と、前記底面と前記背もたれ面とを繋ぎ使用者の臀部を接触させる連結面と、を備える浴槽であって、
前記連結面は、前記背もたれ面を延伸した面と前記底面を延伸した面とが交わる角を削って浴槽内側に入り込む面として形成され、
前記底面は、前記背もたれ面側が水下となるように排水勾配が形成されると共に、前記背もたれ面側の一部のみを前記連結面から前記背もたれ面側に向かって入り込ませた食い込み部を有し、
前記排水口は、少なくともその一部が前記食い込み部に位置するように設けられていることを特徴とする浴槽。
【請求項２】
前記食い込み部は、前記底面から前記排水口に向けて急角度に傾斜する傾斜面を有することを特徴とする請求項１に記載の浴槽。
【請求項３】
前記底面の一対の長手縁側から上方に立ち上がるように形成された一対の側壁面を備え、
前記食い込み部は、前記背もたれ面と前記一対の側壁面とが形成する一対の隅角部のいずれかに設けられていることを特徴とする請求項１または２に記載の浴槽。
【請求項４】
前記背もたれ面は、前記底面側の下方面と、前記下方面の上方に繋がる上方面と、を有しており、
前記上方面を前記底面まで延伸させた際の仮想面よりも、前記排水口は前記背もたれ面側に設けられていることを特徴とする請求項１または２に記載の浴槽。
【請求項５】
前記排水口を塞ぐための排水栓と、前記排水栓を前記背もたれ面の上方に係止する連接部材とを備え、
前記背もたれ面に、前記連接部材を通すための凹部が形成されており、前記凹部は前記食い込み部に繋がっていることを特徴とする請求項１から４のいずれか１項に記載の浴槽。
【発明の詳細な説明】
【技術分野】
【０００１】
本発明は、浴槽に関する。
【背景技術】
【０００２】
浴槽は、湯を貯めて使用者が入浴するものであり、個人宅用の浴槽は多くは一人が入浴可能なように構成される。一例としての浴槽は、使用者が足を伸ばして腰を下ろせる広さの底面を形成する底壁と、その底壁から立設される一対の長手方向側壁および一対の短手方向側壁とを備えている。底壁には、浴槽内に溜められた湯を排出するための排出口が設けられている。浴槽内に湯を溜める必要性から、排出口は排水栓によって塞がれるようになっている。そのため、浴槽は、浴槽に溜められた湯に使用者が浸かって底面に着座しても、使用者にとって排水栓が邪魔にならないように構成されている。具体的には、下記特許文献１に記載されているように、排水口を底面中央の長手方向側壁近傍に設け、いずれかの短手方向側壁を背もたれ面として入浴しても使用者の臀部と排水栓が干渉しないように構成されている。
【０００３】
ところで、下記特許文献１に記載されているように、排水口を底面中央に設けると、排水勾配を確保する関係上、排水口が設けられた位置が最も水下になるように底面に傾斜を付ける必要がある。また、短手方向側壁を背もたれ面として入浴するため、使用者が入浴した場合に肩まで湯の中に浸かって心地よい入浴感を得ることができるように、双方の短手方向側壁の高さを確保する必要がある。結果として、一方の短手方向側壁を背もたれ面として使用者が入浴した場合に、他方の短手方向側壁は使用者の足のみが底面側にあるだけであるにもかかわらず、必要以上の水深が確保されることになる。
【０００４】
そこで、下記特許文献２に記載されているように、一方の短手方向側壁の高さを背もたれ面として十分な高さ寸法を確保する一方で、他方の短手方向側壁の高さ寸法を短くしたような浴槽が提案されている。この浴槽の底面は、一方の短手方向側壁から他方の短手方向側壁に向かって大きな傾斜を形成するように勾配が設けられている。
【先行技術文献】
【特許文献】
【０００５】
【特許文献１】特開２００８−２３７４９７号公報
【特許文献２】特開２００１−２４５８０７号公報
【発明の概要】
【発明が解決しようとする課題】
【０００６】
上記特許文献２に記載の浴槽は、底面に大きな勾配が設けられている関係上、底面の水勾配もそれを利用したものとなる。つまり、排水口は、背もたれ面としての一方の短手方向側壁近傍における底壁に設けられる。このような浴槽は、最も水深を確保する必要がある背もたれ面側である一方の短手方向側壁の高さ寸法を長いものとし、使用者の足が浸かる程度の水深で十分な他方の短手方向側壁の高さ寸法を短いものとしている。従って、浴槽の長手方向に沿った縦断面で見た場合に、無駄に水深の深い領域を極力少なくした節水可能な浴槽となっている。
【０００７】
しかしながら、上述したように節水性を確保するため、底面に大きな勾配を設け、背もたれ面となる一方の短手方向側壁側に排水口を設けていることから、使用者が入浴した場合に排水栓と臀部とが干渉するおそれがある。
【０００８】
本発明はこのような課題に鑑みてなされたものであり、その目的は、節水性を高めた浴槽でありながらも、使用者が入浴した場合に肩まで湯の中に浸かって心地よい入浴感を得ることができ、入浴時に使用者の臀部と排水栓との干渉を抑制することが可能な浴槽を提供することにある。
【課題を解決するための手段】
【０００９】
上記課題を解決するために本発明にかかる浴槽は、排水口が形成され一対の長手縁および一対の短手縁を有する底面と、前記底面の一方の短手縁側から上方に立ち上がるように形成された背もたれ面と、前記底面と前記背もたれ面とを繋ぐ連結面と、を備える浴槽であって、前記連結面は、前記背もたれ面を延伸した面と前記底面を延伸した面とが交わる角を削って浴槽内側に入り込む面として形成され、前記底面は、前記背もたれ面側が水下となるように排水勾配が形成されると共に、前記背もたれ面側の一部のみを前記連結面から前記背もたれ面側に向かって入り込ませた食い込み部を有し、前記排水口は、少なくともその一部が前記食い込み部に位置するように設けられている。
【００１０】
本発明によれば、背もたれ面側が水下となるように底面が形成されているので、底面の一方の短手縁側から立ち上がる背もたれ面の高さを確保し、他方の短手縁側から立ち上がる対向面の高さを抑制することができる。従って、使用者が背もたれ面に背中を付けて入浴し、対向面側に足を伸ばすことで、入浴した場合に方まで湯に浸かる心地よい入浴感を得ることができる。更に、背もたれ面は使用者が底面に着座した際に、肩まで湯に浸かれるような高さを確保する必要がある一方で、対向面は使用者の足が浸かれる程度の高さで済むので、浴槽の溜水量を抑制して節水効果を高めることができる。更に、背もたれ面と底面とを繋ぐ連結面は、背もたれ面を延伸した面と底面を延伸した面とが交わる角を削って浴槽内側に入り込む面として形成されているので、その削った領域分の溜水量を低減することができ、更なる節水効果を奏することができる。
【００１１】
本発明では更に、この節水効果を高めるために形成した連結面の形態を利用し、入浴時に使用者の臀部と排水栓とが干渉しないようにしている。具体的には、背もたれ面側の一部の底面を、背もたれ面側に向かって食い込ませた食い込み部を形成し、その食い込み部に排水口の少なくとも一部が位置するものとしている。連結面は浴槽の内側に入り込ませる一方で、食い込み部は逆に連結面から背もたれ面側に入り込ませることで、食い込み部脇の連結面に使用者の臀部を接触させることができ、食い込み部に使用者の臀部が届かないように構成している。この食い込み部に排水口を形成することで、底面に着座し背もたれ面に背を沿わせて入浴しても、臀部と排水口および排水栓とが干渉しないように構成することができる。
【００１２】
また本発明に係る浴槽では、前記食い込み部は、前記底面から前記排水口に向けて急角度に傾斜する傾斜面を有することも好ましい。
【００１３】
この好ましい態様では、底面から排水口に向けて急角度に傾斜する傾斜面を形成しているので、底面よりも更に下がった位置に排水口が形成される。従って、連結面のみならず底面によっても、排水口および排水栓に使用者の臀部が届かないように構成することができる。
【００１４】
また本発明に係る浴槽では、前記底面の一対の長手縁側から上方に立ち上がるように形成された一対の側壁面を備え、前記食い込み部は、前記背もたれ面と前記一対の側壁面とが形成する一対の隅角部のいずれかに設けられていることも好ましい。
【００１５】
この好ましい態様では、食い込み部を隅角部に設けることで、連結面のみならず使用者の側方から側壁面によっても、排水口および排水栓に使用者の臀部が届かないように構成することができる。
【００１６】
また本発明に係る浴槽では、前記背もたれ面は、前記底面側の下方面と、前記下方面の上方に繋がる上方面と、を有しており、前記上方面を前記底面まで延伸させた際の仮想面よりも、前記排水口は前記背もたれ面側に設けられていることも好ましい。
【００１７】
本発明に係る浴槽では、使用者は背もたれ面に背中を付けて、背もたれ面とは反対側の対向面側に足を伸ばして入浴する。そこでこの好ましい態様では、使用者が背中の上の方を付ける上方面を、使用者の臀部を排水口から引き離すガイドとして形成している。排水口は、上方面を底面まで延伸させた際の仮想面よりも背もたれ面側に設けられているので、上方面に背中の上の方を付けた使用者の臀部から離れることになり、確実に排水口及び排水栓に使用者の臀部が干渉しないように構成することができる。
【００１８】
また本発明に係る浴槽では、前記排水口を塞ぐための排水栓と、前記排水栓を前記背もたれ面の上方に係止する連接部材とを備え、前記背もたれ面に、前記連接部材を通すための凹部が形成されており、前記凹部は前記食い込み部に繋がっていることも好ましい。
【００１９】
この好ましい態様では、背もたれ面に排水栓を係止する連接部材を通すための凹部を設けているので、排水栓のみならず連接部材と使用者の臀部とが干渉することも防止できる。
【発明の効果】
【００２０】
本発明によれば、節水性を高めた浴槽でありながらも、使用者が入浴した場合に肩まで湯の中に浸かって心地よい入浴感を得ることができ、入浴時に使用者の臀部と排水栓との干渉を抑制することが可能な浴槽を提供することができる。
【図面の簡単な説明】
【００２１】
【図１】本発明の実施形態である浴槽を示す斜視図である。
【図２】本発明の実施形態である浴槽を示す平面図である。
【図３】図１および図２に示す浴槽に使用者が入浴している状況を簡易的に示す縦断面模式図である。
【図４】図３に示す状態をより詳細に示す縦断面模式図である。
【図５】本実施形態の浴槽における排水口近傍の傾斜を示す図である。
【図６】図５の排水口中心近傍における縦断面図である。
【図７】本実施形態の変形例である浴槽を示す斜視図である。
【発明を実施するための形態】
【００２２】
以下、添付図面を参照しながら本発明の実施の形態について説明する。説明の理解を容易にするため、各図面において同一の構成要素に対しては可能な限り同一の符号を付して、重複する説明は省略する。
【００２３】
本発明の実施形態である浴槽について、図１および図２を参照しながら説明する。図１は、本発明の実施形態である浴槽ＢＴを示す斜視図である。図２は、本発明の実施形態である浴槽ＢＴを示す平面図である。
【００２４】
図１および図２に示すように、浴槽ＢＴは、下段底面１０と、上段底面１１と、下方背もたれ面３０と、上方背もたれ面３３と、下方対向面４０と、上方対向面４３と、下方右側壁面２０ｒと、上方右側壁面２３ｒと、下方左側壁面２０ｓと、上方左側壁面２３ｓと、リム面５０と、を備えている。
【００２５】
浴槽ＢＴの底面は、下段底面１０と、上段底面１１とによって構成されている。下段底面１０は、下段底面１０に使用者が座った際に、使用者が肩まで湯に浸れるような深さとなる位置に設けられている。上段底面１１は、下段底面１０よりも上方に形成される面である。使用者は、下段底面１０に臀部をつけて着座し、足を延ばして上段底面１１に載せて入浴する。下段底面１０と上段底面１１とは、連続的な面となるように繋がれている。下段底面１０には、排水口６０が形成されている。
【００２６】
下段底面１０は、一対の長手縁１０ｅｒ，１０ｅｓと、短手縁１０ｅｔとを有している。短手縁１０ｅｔは、一対の長手縁１０ｅｒ，１０ｅｓを繋ぐように、上段底面１１とは反対側に形成されている。
【００２７】
上段底面１１は、一対の長手縁１１ｅｒ，１１ｅｓと、短手縁１１ｅｔとを有している。短手縁１１ｅｔは、一対の長手縁１１ｅｒ，１１ｅｓを繋ぐように、下段底面１０とは反対側に形成されている。
【００２８】
従って、下段底面１０と上段底面１１とからなる浴槽ＢＴの底面は、長手縁１０ｅｒ及び長手縁１１ｅｒからなる一方の長手縁と、長手縁１０ｅｓ及び長手縁１１ｅｒからなる他方の長手縁と、を有している。短手縁１０ｅｔは、下段底面１０側において一対の長手縁（長手縁１０ｅｒ及び長手縁１１ｅｒからなる一方の長手縁と、長手縁１０ｅｓ及び長手縁１１ｅｒからなる他方の長手縁）を繋いでいる。短手縁１１ｅｔは、上段底面１１側において一対の長手縁（長手縁１０ｅｒ及び長手縁１１ｅｒからなる一方の長手縁と、長手縁１０ｅｓ及び長手縁１１ｅｒからなる他方の長手縁）を繋いでいる。
【００２９】
下段底面１０と上段底面１１とからなる浴槽ＢＴの底面からは、一対の側壁面である下方右側壁面２０ｒ，下方左側壁面２０ｓが上方に立ち上がるように形成されている。下方右側壁面２０ｒは、長手縁１０ｅｒ及び長手縁１１ｅｒからなる一方の長手縁から上方に立ち上がるように形成されている。下方左側壁面２０ｓは、長手縁１０ｅｓ及び長手縁１１ｅｒからなる他方の長手縁から上方に立ち上がるように形成されている。
【００３０】
下方右側壁面２０ｒの上端には、右段差面２１ｒが略水平方向且つ外側に向くように繋がっている。右段差面２１ｒの外側端からは、右接続面２２ｒが上方に向けて立ち上がり、上方右側壁面２３ｒに繋がっている。
【００３１】
下方左側壁面２０ｓの上端には、左段差面２１ｓが略水平方向且つ外側に向くように繋がっている。左段差面２１ｓの外側端からは、左接続面２２ｓが上方に向けて立ち上がり、上方左側壁面２３ｓに繋がっている。
【００３２】
下段底面１０と上段底面１１とからなる浴槽ＢＴの底面からは、下方背もたれ面３０と下方対向面４０とが立ち上がっている。下方背もたれ面３０は、下段底面１０の短手縁１０ｅｔから上方に立ち上がっている。下方対向面４０は、上段底面１１の短手縁１１ｅｔから上方に立ち上がっている。
【００３３】
下方背もたれ面３０の上端には、上方背もたれ面３３が外側斜め上方に延びるように繋がっている。下方対向面４０の上端には、上方対向面４３が外側斜め上方に延びるように繋がっている。上方背もたれ面３３と、上方右側壁面２３ｒと、上方対向面４３と、上方左側壁面２３ｓと、は連続的な曲面を形成するように繋がっている。上方背もたれ面３３と、上方右側壁面２３ｒと、上方対向面４３と、上方左側壁面２３ｓとに繋がり、それらを囲んで水平方向に延びるリム面５０が形成されている。
【００３４】
続いて、図３を参照しながら、排水口６０の配置態様について説明する。図３は、図１および図２に示す浴槽ＢＴに使用者Ｈが入浴している状況を簡易的に示す縦断面模式図である。図３に示すように、下段底面１０と下方背もたれ面３０とを繋ぐ連結面１３が形成されている。連結面１３は、下方背もたれ面３０を延伸した面と下段底面１０を延伸した面とが交わる角を削って浴槽内側に入り込む面として形成されている。下段底面１０は、下方背もたれ面３０側が水下となるように排水勾配が形成されている。下段底面１０と下方背もたれ面３０との間には、下方背もたれ面３０側の一部のみを連結面１３から下方背もたれ面３０側に向かって入り込ませた食い込み部３２ｒが設けられている。
【００３５】
排水口６０は、少なくともその一部が食い込み部３２ｒに位置するように設けられている。これは、従来の排水口が位置６０ｖに形成されていたところ、下段底面１０の排水勾配を下方背もたれ面３０が水下になるように形成したことでその位置を移動させる必要が生じたことによる。排水口６０を水下である下方背もたれ面３０側に移動させたことで、使用者Ｈの臀部と干渉しやすくなったので、連結面１３をいわばガード面として利用するものである。
【００３６】
本実施形態では、下方背もたれ面３０の上方に上方背もたれ面３３を形成しているので、排水口６０に使用者Ｈの臀部が干渉しない効果をより高めている。図４に示すように、実際に使用者Ｈが入浴する際には、背中を上方背もたれ面３３に付けて入浴する。上方背もたれ面３３を下段底面１０まで延伸させた際の仮想面３３ａよりも、排水口６０は下方背もたれ面３０側に設けられている。従って、使用者の臀部は、上方背もたれ面３３のガイド効果によって排水口６０から離れる。
【００３７】
本実施形態では更に、排水口６０近傍において使用者の臀部と干渉しない工夫をしている。この工夫について、図５及び図６を参照しながら説明する。図５は、本実施形態の浴槽ＢＴにおける排水口６０近傍の傾斜を示す図である。図６は、図５の排水口６０中心近傍における縦断面図である。
【００３８】
食い込み部３２ｒは、下段底面１０と下方背もたれ面３０とを繋ぐ連結面１３と、下段底面１０と下方右側壁面２０ｒとを繋ぐ連結面１２ｒとの間の隅角部に形成されている。更に、食い込み部３２ｒは、下段底面１０から排水口６０に向けて急角度に傾斜する傾斜面１６を有する。
【００３９】
このように、下段底面１０から排水口６０に向けて急角度に傾斜する傾斜面１６を形成しているので、下段底面１０よりも更に下がった位置に排水口６０が形成される。従って、連結面１３，１２ｒのみならず下段底面１０によっても、排水口６０および排水栓に使用者の臀部が届かないように構成することができる。また、食い込み部３２ｒを隅角部に設けることで、連結面１３，１２ｒのみならず使用者の側方から下方右側壁面２０ｒによっても、排水口６０および排水栓に使用者の臀部が届かないように構成することができる。
【００４０】
排水口６０を塞ぐ排水栓は、ポップアップ式のものや、玉鎖付きのゴム栓式のものが用いられる。玉鎖付きのゴム栓式のものを用いる場合の変形例について、図７を参照しながら説明する。図７は、本実施形態の変形例である浴槽ＢＴａを示す斜視図である。浴槽ＢＴａは、排水口６０ａを塞ぐための排水栓８０と、排水栓８０を上方背もたれ面３３の上方に係止する玉鎖８１（連接部材）とを備えている。この玉鎖８１に使用者Ｈの体が触れにくいように、玉鎖８１を通すための凹部７０が形成されている。凹部７０は、下方左側壁面２０ｓと、下方背もたれ面３０との間に形成され、リム面５０か食い込み部３２ｓをつなげている。
【００４１】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００４２】
１０：下段底面
１０ｅｒ：長手縁
１０ｅｓ：長手縁
１０ｅｔ：短手縁
１１：上段底面
１１ｅｒ：長手縁
１１ｅｓ：長手縁
１１ｅｔ：短手縁
１２ｒ：連結面
１３：連結面
１６：傾斜面
２０ｒ：下方右側壁面
２０ｓ：下方左側壁面
２１ｒ：右段差面
２１ｓ：左段差面
２２ｒ：右接続面
２２ｓ：左接続面
２３ｒ：上方右側壁面
２３ｓ：上方左側壁面
３０：下方背もたれ面
３２ｒ：食い込み部
３２ｓ：食い込み部
３３：上方背もたれ面
３３ａ：仮想面
４０：下方対向面
４３：上方対向面
５０：リム面
６０：排水口
６０ａ：排水口
６０ｖ：位置
７０：凹部
８０：排水栓
８１：玉鎖
ＢＴ：浴槽
ＢＴａ：浴槽
Ｈ：使用者
【図１】
0005804350.tif 000002
【図２】
0005804350.tif 000003
【図３】
0005804350.tif 000004
【図４】
0005804350.tif 000005
【図５】
0005804350.tif 000006
【図６】
0005804350.tif 000007
【図７】
0005804350.tif 000008